(57)【要約】【課題】清掃性を向上させることができ、優れた意匠性をもたせることができる。【解決手段】使用状態で正面視したときの前面に位置する便鉢１１と、便鉢１１から後方に向けて延びる周壁部１２と、を有する小便器であって、周壁部１２の左右一対の側面１２Ｂは、上方から下方に向かうに従って漸次、前方となるように直線状に傾斜する前端傾斜部１２ｃが形成され、便鉢１１の内面に洗浄段が設けられていない構成であり、便鉢１１の正面には、洗浄水Ｗを便鉢１１に噴出するスプレッダー２が設けられた構成の小便器を提供する。【選択図】図１９
2019178574.tif 000002
【特許請求の範囲】
【請求項１】
使用状態で正面視したときの前面に位置する便鉢と、該便鉢から後方に向けて延びる周壁部と、を有する小便器であって、
前記周壁部の左右一対の側面は、上方から下方に向かうに従って漸次、前方となるように直線状に傾斜する直線傾斜部が形成され、
前記便鉢に噴出される洗浄水は、前記便鉢の側面部を通り、鉢底面の前方に位置する前面部に到達するとともに、側面視で凸状に流れることを特徴とする小便器。
【請求項２】
使用状態で正面視したときの前面に位置する便鉢と、該便鉢から後方に向けて延びる周壁部と、を有する小便器であって、
前記周壁部の左右一対の側面は、上方から下方に向かうに従って漸次、前方となるように直線状に傾斜する直線傾斜部が形成され、
前記便鉢の内面に洗浄段が設けられていないことを特徴とする小便器。
【請求項３】
前記便鉢の正面には、洗浄水を前記便鉢に噴出するスプレッダーが設けられている請求項２に記載の小便器。
【請求項４】
使用状態で正面視したときの前面に位置する便鉢と、該便鉢から後方に向けて延びる周壁部と、を有する小便器であって、
前記便鉢に取り付けられ、洗浄水を前記便鉢に噴出するスプレッダーが設けられ、
前記便鉢は、左右方向から見た側面視で、前記便鉢の左右一対の側面部の開口縁における接線のうち前記便鉢の鉢底面の先端部を通る直線上で、前記便鉢の正面部に交差する点から下方に前記スプレッダーの吐水口が位置するように設けられたことを特徴とする小便器。
【請求項５】
前記便鉢には、水平断面で左右方向の中央から左右両側に向けて後方から前方に延びるように湾曲する湾曲面が形成されている請求項１乃至４のいずれか１項に記載の小便器。
【発明の詳細な説明】
【技術分野】
【０００１】
本発明は、小便器に関する。
【背景技術】
【０００２】
従来、小便器として、例えば特許文献１に示すような、便鉢内に左右一対の洗浄段が設けられたものが知られている。
特許文献１には、左右一対の洗浄段が便鉢の左右両側に上下方向に伸びて設けられた構成の小便器について記載されている。
【先行技術文献】
【特許文献】
【０００３】
【特許文献１】特開２０１７−４４０１０号公報
【発明の概要】
【発明が解決しようとする課題】
【０００４】
しかしながら、上述した特許文献１に示すような従来の小便器では、洗浄段が凹凸形状をなしていることから、清掃性が低下するという問題があった、
また、従来の小便器では、便鉢の内面において正面から見える位置に洗浄段がある場合には、意匠性が低下するおそれがあり、その点で改良の余地があった。
【０００５】
本発明は、上述する問題点に鑑みてなされたもので、清掃性を向上させることができ、優れた意匠性をもたせることができる小便器を提供することを目的とする。
【課題を解決するための手段】
【０００６】
上記目的を達成するため、本発明に係る小便器は、使用状態で正面視したときの前面に位置する便鉢と、該便鉢から後方に向けて延びる周壁部と、を有する小便器であって、前記周壁部の左右一対の側面は、上方から下方に向かうに従って漸次、前方となるように直線状に傾斜する直線傾斜部が形成され、前記便鉢に噴出される洗浄水は、前記便鉢の側面部を通り、鉢底面の前方に位置する前面部に到達するとともに、側面視で凸状に流れることを特徴としている。
【０００７】
本発明によれば、便鉢の内面に洗浄段を無くすことが可能であり、かつ周壁部の側面に直線傾斜部が形成され、便鉢の側面部の高さ方向の領域が大きくなるので、便鉢に設けられるスプレッダーから噴出される洗浄水のうち、正面視で左右方向の外側に広がる洗浄水（外側洗浄水）の洗浄流量を増加させることができ、しかも便鉢の側面部を通り、鉢底面の前方に位置する前面部に到達するとともに側面視で凸状に流れることから、その外側洗浄水を便鉢の前方の鉢底面の先端部分に到達するように噴出させることが可能となる。これにより、洗浄段が無い便鉢であっても、便鉢の内面の前方まで洗浄することができる。
本発明では、洗浄段を省略することが可能となり、この場合には便鉢の内面に凹凸が形成されることがなく、清掃性を向上させることができる。しかも、この場合には、便鉢の内面に洗浄段が設けられていないので、正面から見て便鉢内が凹凸のない見映えのよい鉢面となり、意匠性を向上させることができる。
また、本発明では、便鉢に設けられるスプレッダーの位置にかかわらず、洗浄水を鉢底面の先端部分に到達させることが可能である。
【０００８】
また、本発明に係る小便器は、使用状態で正面視したときの前面に位置する便鉢と、該便鉢から後方に向けて延びる周壁部と、を有する小便器であって、前記周壁部の左右一対の側面は、上方から下方に向かうに従って漸次、前方となるように直線状に傾斜する直線傾斜部が形成され、前記便鉢の内面に洗浄段が設けられていないことを特徴としている。
【０００９】
本発明によれば、便鉢の内面に洗浄段が無く、かつ周壁部の側面に直線傾斜部が形成され、便鉢の側面部の高さ方向の領域が大きくなるので、便鉢に設けられるスプレッダーから噴出される洗浄水のうち、正面視で左右方向の外側に広がる洗浄水（外側洗浄水）の洗浄流量を増加させ、その外側洗浄水を便鉢の前方の鉢底面の先端部分に到達するように噴出させることが可能となる。これにより、洗浄段が無い便鉢であっても、便鉢の内面の前方まで洗浄することができる。
この場合には、洗浄段が設けられていない形状となり、便鉢の内面に凹凸が形成されていないので、清掃性を向上させることができる。
また、本発明では、便鉢の内面に洗浄段が設けられていないので、正面から見て便鉢内が凹凸のない見映えのよい鉢面となり、意匠性を向上させることができる。
【００１０】
また、本発明に係る小便器は、前記便鉢の正面には、洗浄水を前記便鉢に噴出するスプレッダーが設けられていることを特徴としてもよい。
【００１１】
この場合には、便鉢の正面に設けられるスプレッダーの吐水口から噴出される外側洗浄水が、便鉢の内面から外方に外れにくい軌跡を描いて、鉢底面の先端部分に到達するように流すことができる。
【００１２】
また、本発明に係る小便器は、使用状態で正面視したときの前面に位置する便鉢と、該便鉢から後方に向けて延びる周壁部と、を有する小便器であって、前記便鉢に取り付けられ、洗浄水を前記便鉢に噴出するスプレッダーが設けられ、前記便鉢は、左右方向から見た側面視で、前記便鉢の左右一対の側面部の開口縁における接線のうち前記便鉢の鉢底面の先端部を通る直線上で、前記便鉢の正面部に交差する点から下方に前記スプレッダーの吐水口が位置するように設けられたことを特徴としている。
【００１３】
本発明によれば、スプレッダーの吐水口から噴出される洗浄水のうち、正面視で左右方向の外側に広がるようにカーブを描く洗浄水（外側洗浄水）が、便鉢の内面から外方への飛散を抑えた状態で、その外側洗浄水を便鉢の前方の鉢底面の先端部分に到達するように噴出させることが可能となる。そのため、洗浄段を便鉢に設けない構成とすることが可能となり、便鉢の内面の前方まで洗浄することができる。
このように、本発明では、洗浄段を省略することが可能となるので、便鉢の内面に凹凸が形成されず、清掃性を向上させることができる。また、本発明では、便鉢の内面に洗浄段が設けられていないので、正面から見て便鉢内が凹凸のない見映えのよい鉢面となり、意匠性を向上させることができる。
【００１４】
また、本発明に係る小便器は、前記便鉢には、水平断面で左右方向の中央から左右両側に向けて後方から前方に延びるように湾曲する湾曲面が形成されていることが好ましい。
【００１５】
この場合には、外側洗浄水が湾曲面に沿って流れることで、鉢底面における正面視で左右中央の先端部分に洗浄水を集めて効率よく排水することができる。
【発明の効果】
【００１６】
本発明の小便器によれば、清掃性を向上させることができ、優れた意匠性をもたせることができる。
【図面の簡単な説明】
【００１７】
【図１】本発明の第１の実施形態による小便器を示す斜視図である。
【図２】図１に示す小便器を前方から見た正面図である。
【図３】図２に示す小便器を右方向から見た側面図である。
【図４】図２に示すＩ−Ｉ線断面図である。
【図５】図２に示す小便器において便鉢の下方の一部を破断した正面図である。
【図６】小便器の水平断面図であって、（ａ）は図５に示すＩＩ−ＩＩ線断面図、（ｂ）は図５に示すＩＩＩ−ＩＩＩ線断面図、（ｃ）は図５に示すＩＶ−ＩＶ線断面図である。
【図７】図５に示すＶ−Ｖ線断面図である。
【図８】図２に示す小便器を上方から見た平面図である。
【図９】図２に示す小便器を下方から見た平面図であって前方を紙面左側にした図である。
【図１０】図３に示す小便器の下部の構成を示す要部拡大図である。
【図１１】図１０に示す小便器の縦断面図である。
【図１２】図４に示す小便器において、開口部の形状を示した図である。
【図１３】（ａ）は図３に示すＶＩ−ＶＩ線断面図、（ｂ）はＶＩＩ−ＶＩＩ線断面図である。
【図１４】スプレッダーを左右方向から見た側面図である。
【図１５】スプレッダーを前方から見た正面図である。
【図１６】図１５に示すＶＩＩＩ−ＶＩＩＩ線断面図である。
【図１７】スプレッダーの吐水部を前方から見た正面図である。
【図１８】スプレッダーを下方から見た平面図であって、前面を紙面上側にした図である。
【図１９】スプレッダーから噴出される洗浄水の流れを説明するための縦断面図であって、図４に対応した図である。
【図２０】第２の実施形態による小便器を示す斜視図である。
【図２１】図２０に示すＩＸ−ＩＸ線断面図である。
【図２２】図２１に示すＸ−Ｘ線断面図である。
【発明を実施するための形態】
【００１８】
以下、本発明の実施形態による小便器について、図面を参照しながら説明する。
【００１９】
（第１の実施形態）
図１〜図４に示すように、本実施形態による小便器１は、自身の最下部が床面から浮かされた状態となるように背後の壁面Ｋに沿って取り付けられる壁掛け式の小便器を対象としている。小便器１は、便鉢１１を有する陶器製の小便器本体１０と、便鉢１１を洗浄するためのスプレッダー２（図４参照）と、便鉢１１の鉢底面１１Ｃに設けられる排水口１１ｃに接続される排水トラップ３（図４参照）と、を備えている。
【００２０】
ここで、本実施形態においては、使用者が小便器１を正面視するように位置した際に使用者に近い側を前側とし、反対側の遠い側を後側とする。また、小便器１の前側と後側との間に連なる部分を側方とする。また、小便器１を前側から見たときの左右方向を左右方向Ｘ１といい、前側と後側の方向を前後方向Ｘ２という。
【００２１】
小便器本体１０は、前面に位置する便鉢１１と、便鉢１１の開口部１３から後方に向けて延びる周壁部１２と、を有している。小便器本体１０の後端縁１０ａは、側方から見て鉛直方向に延び、壁面Ｋに対して当接させた状態で設置される。
【００２２】
周壁部１２は、上面部１２Ａと、上面部１２Ａに連設される左右一対の側面部（左側面部１２Ｂ、右側面部１２Ｃ）と、左側面部１２Ｂ及び右側面部１２Ｃに連結され便鉢１１の下方前面に位置する前面部１２Ｄと、前面部１２Ｄ及び一対の側面部１２Ｂ、１２Ｃに連設される底面部１２Ｅと、を有している。周壁部１２の前端に形成される開口部１３は、便鉢１１の外周縁に対して連続的に接続されている。すなわち、便鉢１１と周壁部１２とは一体構造となっている。
【００２３】
上面部１２Ａは、前後方向Ｘ２に幅を有して左右方向Ｘ１に延在し、全体が左右方向Ｘ１の中央部から左右両側の側面部１２Ｂ、１２Ｃに向けて下向きに湾曲している。さらに、上面部１２Ａは、左右方向Ｘ１の全体にわたって前後方向Ｘ２で前側から後側へ向かうに従い漸次、下方になるように傾斜している。すなわち、少なくとも小便器本体１０の最上部（上面部１２Ａの頂部）において、手前側部分１２ａが奥側部分１２ｂよりも高い位置となっている。
【００２４】
左右に位置する左側面部１２Ｂ及び右側面部１２Ｃに前端は、上方から下方に向かうに従って漸次、前方となるように直線状に傾斜する前端傾斜部１２ｃ（直線傾斜部）が形成されている。さらに、左側面部１２Ｂ及び右側面部１２Ｃは、図５〜図８に示すように、上下方向Ｘ３の全体にわたって前後方向Ｘ２で前側から後側へ向かうに従い漸次、左右方向Ｘ１の内側から外側に向けて傾斜している。すなわち、左側面部１２Ｂ及び右側面部１２Ｃは、正面視で手前より奥側で左右方向Ｘ１の外側に張り出して見えるように形成されている。
【００２５】
また、左側面部１２Ｂ及び右側面部１２Ｃの下方領域は、図７に示すように、前方に向かって狭まるように湾曲しながら前面部１２Ｄにかけて傾斜している。このときの湾曲部の曲率半径Ｒは、例えばＲ１１０ｍｍと比較的で大きな曲率に設定されている。そのため、側面部１２Ｂ、１２Ｃに付着した小便は、前面部１２Ｄの凸頂部に集まる。
【００２６】
前面部１２Ｄは、図３及び図４に示すように、底面部１２Ｅから上方に向けて前方に傾く前傾斜に形成されている。
【００２７】
底面部１２Ｅは、前面部１２Ｄ及び両側面部１２Ｂ、１２Ｃのそれぞれの下端縁に連続的に接続されている。底面部１２Ｅには、図５、図９〜図１３に示すように、下方から見た平面視で中央部において上方に向けて窪んだ底凹部１２Ｆが形成されている。
【００２８】
排水トラップ３は、図４及び図５に示すように、管状の流路を形成し、一端の流入口３ａが便鉢１１の鉢底面１１Ｃの排水口１１ｃに接続され、他端の流出口３ｂが小便器本体１０の後面側に設けられている。図１１に示すように、排水トラップ３は、略下半部分が凹底部１２Ｆの凹部に配置されている。
【００２９】
具体的に排水トラップ３は、排水口１１ｃから下方に延びる排水筒３１と、排水筒３１の下端開口から排水筒３１の後方に向けて略１８０度折り返す湾曲壁３２と、湾曲壁３２から上方に向けて延びる上向き壁３３と、を有している。
排水筒３１は、排水筒３１内と外周側の後述する便器空間部１４とが連通しないように遮断する遮断壁を構成している。上向き壁３３の上部後面側には、上述した流出口３ｂが設けられている。この流出口３ｂには、壁面Ｋの内側に設けられる図示しない排水管の端部が接続される。排水トラップ３の湾曲壁３２の下端３２ａは、排水トラップ３全体の最も下端３ｃに位置し、底面部１２Ｅよりも上方に位置している。
【００３０】
図１０及び図１１に示すように、底凹部１２Ｆの下端縁に位置する底面部１２Ｅは、便鉢１１の排水口１１ｃに接続される排水トラップ３の下端３ｃよりも下方に位置している。
また、図１１に示すように、底凹部１２Ｆの後壁は、鉛直方向に延びる垂直壁１４３を形成している。この垂直壁１４３の上端から前方に向けて排水トラップ３の外周壁が接続されている。排水トラップ３における垂直壁１４３の前側に対向する部分（上向き壁３３）は、前方に向かうに従って漸次、水平面に対する傾斜角度が小さくなるように下向きに傾斜している。
【００３１】
なお、底凹部１２Ｆの陶器製の内面は、釉薬で被覆されている。このように底凹部１２Ｆの内面に被覆された釉薬によって滑らかに仕上げられているので、この内面に汚れが付着しにくくなる。そのうえ、釉薬が被覆された内面の清掃性が高まり、付着した汚れを簡単に落とすことが可能となるので、汚れが目立ちにくくなる。
【００３２】
小便器本体１０には、便鉢１１と周壁部１２との間で囲まれた中空状に形成され、排水トラップ３の周囲を囲む便器空間部１４が形成されている。
【００３３】
底面部１２Ｅに形成される底凹部１２Ｆは、部分的に排水トラップ３に沿った形状に形成されている。
底凹部１２Ｆの前方下端は、図２に示すように、左右方向Ｘ１の中央部で下側に凸となる左右凸曲面１２ｅが形成されている。
【００３４】
図１１に示すように、便器空間部１４を構成する底凹部１２Ｆの周壁には、底面部１２Ｅから上方に向けて立上り壁１４１と、立上り壁１４１の上端から排水筒３１の外周面に向けて延びて、排水筒３１の上下方向の途中の位置で接続される連結壁１４２と、が設けられている。
【００３５】
連結壁１４２は、底凹部１２Ｆの天面に相当し、排水筒３１における後端寄りの位置から前方の範囲に配置されている。すなわち、連結壁１４２と、排水筒３１における連結壁１４２が接続される部分より上側の排水筒３１との間に便器空間部１４の一部（排水側空間１４Ａ）が形成されている（図１３（ａ）、（ｂ）参照）。
【００３６】
連結壁１４２は、図１１及び図１３（ｂ）に示す前方連結壁１４２Ａと、図１３（ａ）に示す後方連結壁１４２Ｂとからなり、前方連結壁１４２Ａが後方連結壁１４２Ｂよりも下方となる高さに位置し、それぞれの前後方向Ｘ２の境界部分に上下の段差が形成されている。双方の連結壁１４２Ａ、１４２Ｂ同士の前後方向Ｘ２の境界部分は、図９に示すように、排水トラップ３の排水筒３１（後述する）の前後方向Ｘ２の略中央部分に位置している。
【００３７】
底面部１２Ｅの前部には、図１０及び図１１に示すように、底凹部１２Ｆよりも前方の位置において、側面視で下に凸となる前後凸曲面１２ｄが形成されている。前後凸曲面１２ｄは、前面部１２Ｄから底面部１２Ｅに向けて連続する曲面で湾曲し、その湾曲部の後方側で上向きに延びて底凹部１２Ｆに接続するように形成されている。前後凸曲面１２ｄは、図９に示すように、下方から見た平面視で左右方向Ｘ１の全体にわたって前側に凸となるように湾曲している。このような湾曲部を設けることで、清掃性が良好となる。なお、前後凸曲面１２ｄにおける前側に凸となる湾曲部の曲面範囲は、左右方向Ｘ１の全体であることに限定されず、左右両側の角部のみに曲面を形成させた形状であってもよいが、清掃性を高めるためにはこの角部の曲面の曲率半径は大きい方が好ましい。
【００３８】
便鉢１１は、図１２に示すように、上部から下部まで使用者に対向するように開いた開口部１３を有している。開口部１３は、左側面部１２Ｂ及び右側面部１２Ｃのそれぞれの前端傾斜部１３ａ、１３ａと、一対の前端傾斜部１３ａ、１３ａの上端に連設する上面部１２Ａの上前端円弧部１３ｂと、一対の前端傾斜部１３ａ、１３ａの下端に連設する前面部１２Ｄの下前端円弧部１３ｃと、が形成されている。
一対の前端傾斜部１３ａ、１３ａ、上前端円弧部１３ｂ、及び下前端円弧部１３ｃは、それぞれ同一平面上に位置している。一対の前端傾斜部１３ａ、１３ａは、互いに平行となっている。上前端円弧部１３ｂ、及び下前端円弧部１３ｃは、それぞれ略同一の曲率半径からなる単一の円弧を形成している。開口部１３は、この開口部１３を含む平面に直交する方向から見て上下対称の形状をなしている。
【００３９】
便鉢１１は、図１３（ａ）、（ｂ）に示すように、上下方向Ｘ３の全領域において、正面部１１Ａと、正面部１１Ａの左右両側から前方に向けて突出するように延びる側面部１１Ｂと、鉢底面１１Ｃと、を有し、それぞれが滑らかに湾曲し、かつ連続的に接続している（図４参照）。
【００４０】
正面部１１Ａは、上方から鉢底面１１Ｃまで略鉛直方向に沿って延びている。正面部１１Ａにおける上端寄りの上部領域１１ａで左右方向Ｘ１の中央部には、前後方向Ｘ２に貫通する貫通穴１１ｂが形成されている。この貫通穴１１ｂには、スプレッダー２が嵌合されている。
【００４１】
正面部１１Ａと側面部１１Ｂ、１１Ｂとは、スプレッダー２から吐出される洗浄水Ｗを鉢底面１１Ｃまで導くことができるように、水平断面視で全体にわたって連続する凹曲面が形成されている。側面部１１Ｂは、図６（ａ）〜（ｃ）、及び図７に示すように、上方から下方に向かうに従い漸次、正面部１１Ａからの前方に向けて延びる突出量が増大している。つまり水平断面視において便鉢１１の凹部の深さは、下方に向かうほど上部よりも深くなっている。
【００４２】
また、正面部１１Ａの左右方向Ｘ１の幅寸法は、水平断面視において上下方向Ｘ３の全体にわたって開口部１３の開口幅よりも小さくなっている。
さらに、図７に示すように、便鉢１１と周壁部１２との接続部をなすリム１１Ｄは縁無し形状をなし、便鉢１１内の下方領域には、水平断面視でリム１１Ｄの開口幅Ｄ１よりも大きい幅Ｄ２を有する部分が形成されている。このような形状にすることにより、便鉢１１の外方に小便が跳ね返ることを抑制することができる。
【００４３】
左右一対の側面部１１Ｂ、１１Ｂの下側領域Ｐ１は、図１３（ａ）、（ｂ）に示すように、上方から鉢底面１１Ｃに向かうに従い漸次、左右方向Ｘ１の幅寸法が小さくなるとともに、手前から正面部１１Ａ側（後方側）に向かうに従い左右方向Ｘ１の幅が狭くなっている。
ここで、図３に示す側面視で、前後凸曲面１２ｄから上方に伸ばした延長線Ｐ０と前端傾斜部１２ｃ（開口部１３）との交点を通る水平方向の線を境界線Ｐとし、開口部１３において、境界線Ｐより下側を下側領域Ｐ１とし、上側を上側領域Ｐ２とする。
【００４４】
そして、本実施形態では、高さが低い小便器１であるので、下側領域Ｐ１の第１開口面積Ｓ１が一般の小便器よりも大きくなっている。ここで、下側領域Ｐ１の第１開口面積Ｓ１と上側領域Ｐ２の第２開口面積Ｓ２との比率は、例えば、Ｓ１：Ｓ２＝１：２に設定され、好ましくは１：１である。
このように構成することで、延長線Ｐ０より手前が曲面になることから、小便が前面１２Ｄを介して前後凸曲面１２ｄに集まりやすい形状となり、図１及び図３の矢印Ｓで示すように、前後凸曲面１２ｄに小便が伝わり易くなる利点がある。
【００４５】
鉢底面１１Ｃの後方側には、図４及び図１１に示すように、上方に広がる椀形状をなす排水口１１ｃが設けられている。排水口１１ｃには、目皿４（図４参照）が配置されている。また、排水口１１ｃには、鉢底面１１Ｃの下方の底収納部１４（後述する）に配置される排水トラップ３の上端が接続されている。
【００４６】
鉢底面１１Ｃは、排水口１１ｃに排水が集まるように、排水口１１ｃに向かって緩やかに傾斜している。さらに、鉢底面１１Ｃは、上面視で前後方向Ｘ２に延びる一対の略直線部とそれら直線部の前端同士、後端同士をそれぞれ曲線で繋いだトラック形状をなしている。なお、鉢底面１１Ｃは、手前側が広がっていない形状であればよいので、上述した直線部は前後方向Ｘ２に延びる直線でなくてもよい。
このように鉢底面１１Ｃに傾斜面が形成され、中心周辺（小便が良くあたる位置）における平面の断面積が小さくなっているので、この傾斜面に当たった小便が外方に跳ねにくくなっている。
一方で、例えば鉢底面の形状を手前側で広くすると、手前側の平面部分が広くなり、側面部と前面部を繋ぐ曲面が小さくなり、曲面部で先浄水の流速が低下して先に鉢底面に落ちやすくなるため、前面１２Ｄ側（後述する図１９に示す前面部１１Ｄ）まで洗浄し難くなる。本実施の形態では、上述したように鉢底面１１Ｃが手前側に広がらない形状としたことで、洗浄水の流速の低下を抑制することができる。
【００４７】
目皿４は、図４に示すように、円盤状をなし、円盤状の中心軸を上下方向Ｘ３に向けた状態で配置され、外径が排水口１１ｃの内径より僅かに小さく形成されている。目皿４は、円盤状の外周面が排水口１１ｃの内周面に当接することがなく、円盤状の外周面と排水口１１ｃの内周面との間に所定の間隔を設けた状態で配置されている。
【００４８】
次に、スプレッダー２の構成について図面に基づいて詳細に説明する。
図１３（ａ）、（ｂ）に示すように、スプレッダー２は、便鉢１１における正面部１１Ａの上部領域１１ａのほぼ左右中央に設けられ、洗浄水Ｗを便鉢１１の中央領域Ｕ１から左右端側まで広がるように吐水する。スプレッダー２は、図１４及び図１５に示すように、洗浄水Ｗを噴出すると共に、小便器１の前に使用者が立ったことと遠ざかることを検出する超音波センサ２１が内蔵されている。超音波センサ２１は、送波器により超音波を対象物である使用者に向けて発信し、その反射波を受波器で受信することにより使用者を検出する機器である。本実施形態では、超音波センサ２１のセンサヘッド内に送波器と受波器が一体に設置されているものとする。
【００４９】
図１６に示すように、スプレッダー２は、外筒部２０と、外筒部２０内で上下方向Ｘ３の略中央部で上下に液密に仕切る区画壁２２と、を有し、図１３（ａ）、（ｂ）に示すように、中心軸を前後方向Ｘ２に向けて便鉢１１の正面部１１Ａに設けられている。スプレッダー２は、区画壁２２の上側に上述した超音波センサ２１に電気信号を送受信するための配線を収納する電装経路２３と、区画壁２２の下側に洗浄水Ｗを噴出するための給水路２４と、外筒部２０の先端を外側から嵌合して電装経路２３及び給水路２４の先端を覆う有頂筒状のカバー体２５と、を有している。
【００５０】
電装経路２３は、給水路２４に対して区画壁２２によって液密に仕切られているので、給水路２４内を通水する洗浄水Ｗが電装経路２３の内部の超音波センサ２１等の電装機器にかからない構成となっている。
超音波センサ２１は、円筒形状をなし、電装経路２３の先端にシリコンゴム等の弾性体２ａを介して配置されている。超音波センサ２１は、超音波照射角度や角度範囲は対象物からの距離や高さ等に応じて任意に設定可能に設けられている。カバー体２５には、超音波センサ２１が露出するように開口部が形成されている。
【００５１】
給水路２４の前端には、小便器１の便鉢１１に洗浄水Ｗを噴出するための吐水部２６が設けられている。給水路２４は、外部から吐水部２６に向けて洗浄水Ｗを供給する流路である。
吐水部２６は、図１７に示すように、区画壁２２の平面に対して略直交するように壁面を前面に向けて設けられるとともに、給水路２４に連通する給水開口２６１ｂが形成された吐水壁２６１を有している。給水開口２６１ｂは、吐水壁２６１における左右方向Ｘ１の中央部で区画壁２２寄りの上部に配置されている。吐水壁２６１は、下方に向かうに従い漸次、前方から後方に向かうように約１０°の傾斜角をもって便鉢１１の鉢面側に向けて傾斜し、洗浄水Ｗが鉢面に沿って流れやすくなっている。
【００５２】
吐水部２６には、洗浄水Ｗを便鉢１１のほぼ中央領域Ｕ１（図１３（ａ）、（ｂ）参照）に向けて吐水する内側吐水路２６Ａと、内側吐水路２６Ａの左右両側に配置され、洗浄水Ｗを便鉢１１のほぼ中央領域Ｕ１より広範囲の左右領域Ｕ２に広がるように吐水する外側吐水路２６Ｂと、が設けられている（図１８参照）。これにより給水開口２６１ｂから吐水部２６に供給される洗浄水Ｗは、内側ガイド２６２によって内側吐水路２６Ａと外側吐水路２６Ｂとに分配される。
【００５３】
内側ガイド２６２は、内側吐水路２６Ａと外側吐水路２６Ｂとを仕切る部材であり、給水開口２６１ｂの下方において、左右方向Ｘ１で双方の間に間隔をあけた左右両側の位置で吐水壁２６１の前面に設けられている。つまり、左右両側の内側ガイド２６２、２６２の左右中央に給水開口２６１ｂに連通する流入口が形成されている。
【００５４】
一対の内側ガイド２６２、２６２は、それぞれ内側吐水路２６Ａにおける内入口（内側流入口２６２ｂ）側から内出口（内側吐水口２６２ａ）側に向けて斜め下方に延びた形状をなしている。具体的に内側ガイド２６２は、内側流入口２６２ｂ側の水平ガイド部２６２Ａと、内側吐水口２６２ａ側の傾斜ガイド部２６２Ｂと、が異なる方向に向けて延在している。水平ガイド部２６２Ａは、上述した流入口２６ａを確保した位置から水平方向に延びている。傾斜ガイド部２６２Ｂは、水平ガイド部２６２Ａの流入口２６ａと反対側の端部から斜め下方に向けて延びている。水平ガイド部２６２Ａ、２６２Ａ同士の間には、それぞれ後述する滴下防止ガイド２６３との間に一対の内側流入口２６２ｂ、２６２ｂが形成されている。一対の傾斜ガイド部２６２Ｂの下端同士の間には、それぞれ後述する滴下防止ガイド２６３との間に一対の内側吐水口２６２ａ、２６２ａが形成されている。内側吐水路２６Ａは、内側ガイド２６２より下方の領域となる。内側ガイド２６２は、内側吐水路２６Ａを通過して噴出される内側洗浄水Ｗ１の広がりの上縁を規制している。
【００５５】
内側吐水路２６Ａには、一対の傾斜ガイド部２６２Ｂ、２６２Ｂ間の左右中央に配置され、左右に分断するように滴下防止ガイド２６３が設けられている。
【００５６】
また、吐水部２６には、一対の内側ガイド２６２、２６２の上方に間隔をあけて外側ガイド２６４が設けられている。外側ガイド２６４は、吐水壁２６１の前面に設けられ、給水開口２６１ｂの上端部分を中心にして左右対称に形成され、その片側が斜め下方に向けて吐水壁２６１の外周縁２６１ａまで延ばされている。つまり、吐水壁２６１における外側ガイド２６４の下方の領域は、略扇形になっている。
【００５７】
外側吐水路２６Ｂは、内側ガイド２６２と外側ガイド２６４との間に形成される流路である。給水開口２６１ｂを挟んだ左右片側における内側ガイド２６２の傾斜ガイド部２６２Ｂの外端部２６２ｃと外側ガイド２６４の外端部２６４ｃとの間には、外側吐水口２６４ａが形成されている。外側ガイド２６４は、外側吐水路２６Ｂを通過して噴出される外側洗浄水Ｗ２の広がりの上縁を規制している。
【００５８】
外側吐水路２６Ｂは、内側吐水路２６Ａの左右両外側に位置している。つまり、外側吐水口２６４ａから外側吐水路２６Ｂを通過して噴出される外側洗浄水Ｗ２の第２噴出角度は、内側吐水口２６２ａから内側吐水路２６Ａを通過して噴出される内側洗浄水Ｗ１の第１噴出角度よりも広角になっている。
【００５９】
また、本実施形態のスプレッダー２では、外側吐水路に形成される外入口（外側流入口２６４ｂ）の外側入口面積Ｎ２は、内側流入口２６２ｂの内側入口面積Ｍ２よりも大きく設定されている。
さらに、外側吐水路２６Ｂは、外側入口面積Ｎ２が外出口を構成する外側吐水口２６４ａの外側出口面積Ｎ１よりも大きく設定されている。かつ、内側吐水路２６Ａは、内側入口面積Ｍ２が内側吐水口２６２ａの内側出口面積Ｍ１よりも小さく設定されている。
【００６０】
さらに、本実施形態のスプレッダー２では、図１８に示すように、外側吐水路２６Ｂの外側吐水口２６４ａにおける前後方向Ｘ２の長さ寸法Ｖ２は、内側吐水口２６２ａにおける前後方向Ｘ２の長さ寸法Ｖ１よりも大きくなるように設定されている。
なお、外側吐水口２６４ａと内側吐水口２６２ａのそれぞれの前後方向Ｘ２の長さ寸法は、本実施形態に限定されることはなく、それぞれが前後方向Ｘ２に同じ長さ寸法に設定される構成であってもかまわない。
【００６１】
このように構成されるスプレッダー２では、図１３（ａ）、（ｂ）に示すように、小便器１の前に使用者が立つと、超音波センサ２１（図１４及び図１５）で人体を検出してその検出信号により吐水部２６から小便器１の便鉢１１に洗浄水Ｗが噴出される。そして、使用者が小便を終了して小便器１から遠ざかると、超音波センサ２１でこれを検出した検出信号が出力され、吐水部２６から便鉢１１に洗浄水Ｗが噴出されて便鉢１１を洗浄する。
また、超音波センサ２１を有するスプレッダー２は便鉢１１の正面部１１Ａに設置しているため、超音波センサ２１の超音波が物理的に干渉することがなく、相互干渉による誤検知を生じない。
そして、スプレッダー２では、左右両端近傍まで広がる水幕を形成することができる。
【００６２】
図１６に示すように、具体的にスプレッダー２において洗浄水Ｗを噴出する際には、図示しない給水管から供給された洗浄水Ｗがスプレッダー２の給水路２４を通り、給水開口２６１ｂから吐水部２６に供給される。そして、図１７に示すように、給水開口２６１ｂから吐水部２６に供給された洗浄水Ｗは、内側ガイド２６２によって内側吐水路２６Ａと外側吐水路２６Ｂに分配される。それぞれ内側吐水口２６２ａ及びその左右両側の外側吐水口２６４ａ、２６４ａから洗浄水Ｗが便鉢１１に噴出される。ここで、図１３（ａ）、（ｂ）において、吐水部２６から吐水され、左右側端部近傍まで広がった洗浄水Ｗ１、Ｗ２の流れを示している。
【００６３】
内側吐水口２６２ａから下方に噴出される内側洗浄水Ｗ１は、便鉢１１の中央領域Ｕ１に向けて吐水される。
外側吐水口２６４ａから左右方向に噴出される外側洗浄水Ｗ２は、中央領域Ｕ１よりも広範囲に広がるように左右領域Ｕ２に拡散されて吐水され、下部前方に案内されて鉢底面１１Ｃへ流下する。
そして、噴出された洗浄水Ｗ１、Ｗ２は、便鉢１１の鉢底面１１Ｃに向かって流れ、便鉢１１の中央領域Ｕ１及び左右領域Ｕ２にわたって広範囲にわたって洗浄することができる。
【００６４】
このように、スプレッダー２の吐水部２６から吐水される洗浄水Ｗは、スプレッダー２から放射状方向に、便鉢１１の面上を洗浄できない部分を生じさせないように広く広がるように流れ、便鉢１１を流下しながら便鉢１１全体を良好に洗浄することができる。
鉢底面１１Ｃまで流れた洗浄水Ｗは、排水口１１ｃから排水トラップ３を通過して排水される。
【００６５】
次に、本実施形態による小便器１の作用について説明する。
本実施形態の小便器１では、図１９に示すように、便鉢１１の内面に洗浄段が無く、かつ周壁部１２の側面１２Ｂ、１２Ｃに直線状の前端傾斜部１２ｃが形成され、便鉢１１の側面部１１Ｂの高さ方向の領域が大きくなるので、便鉢１１に設けられるスプレッダー２から噴出される洗浄水Ｗのうち、正面視で左右方向の外側に広がる洗浄水（外側洗浄水Ｗ２）の洗浄流量を増加させ、その外側洗浄水Ｗ２を便鉢の前方の鉢底面１１Ｃの先端部分（先端部１１ｃ近傍）に到達するように噴出させることが可能となる。これにより、洗浄段が無い本実施形態のような便鉢１１であっても、便鉢１１の内面の前方（前面部１１Ｄ）まで洗浄することができる。
この場合には、洗浄段を省略することが可能となり、便鉢１１の内面に凹凸が形成されていないので、清掃性を向上させることができる。
しかも、上述したように便鉢１１の側面部１１Ｂの高さ方向の領域が大きくなることで、小便が外方に跳ねにくく、便鉢外部への尿の飛び出しを抑えることができる。
【００６６】
ここで、本実施形態の小便器１におけるスプレッダー２のから噴出される外側洗浄水Ｗ２の具体的な流れについて具体的に説明する。すなわち、図１７、図１８、及び図１９に示すように、スプレッダー２の外側吐水路２６Ｂを介して外側吐水口２６４ａから噴出された外側洗浄水Ｗ２は、便鉢１１の側面部１１Ｂを通り、鉢底面１１Ｃの前方に位置する前面部１１Ｄに到達するとともに、側面視で１つの凸曲線からなる凸状の軌跡で流れる。
このように、本実施形態では、洗浄段が無い便鉢１１となるので、洗浄水Ｗ（外側洗浄水Ｗ２）の流れの軌跡が上述したように１つの変曲点により形成される凸曲線となる。一方、従来のような洗浄段を有する場合には、洗浄水の軌跡の変曲点が２つ以上となる。本実施形態のように洗浄段が無い場合には、洗浄段がある場合のように洗浄段によって水の流れが変わることによる飛沫を抑制できる利点がある。
【００６７】
また、本実施形態では、便鉢１１の内面に洗浄段が設けられていないので、正面から見て便鉢１１内が凹凸のない見映えのよい鉢面となり、意匠性を向上させることができる。
【００６８】
また、本実施形態では、便鉢１１の正面部１１Ａにスプレッダー２が設けられているので、スプレッダー２の吐水口から噴出される外側洗浄水Ｗ２が、正面視で左右方向の外側に広がってカーブを描き、便鉢１１の内面から外方に外れにくい軌跡を描いて、鉢底面１１Ｃの先端部１１ｅに到達するように流すことができる。
【００６９】
また、本実施形態では、便鉢１１において、水平断面で左右方向の中央から左右両側に向けて後方から前方に延びるように湾曲する湾曲面が形成されているので、外側洗浄水Ｗ２が湾曲面に沿って流れることで、鉢底面１１Ｃにおける正面視で左右中央の先端部分に洗浄水Ｗを集めて効率よく排水することができる。
【００７０】
このように本実施形態の小便器１によれば、便鉢１１に洗浄段を設けない構成となるので、清掃性を向上させることができ、優れた意匠性をもたせることができる。
【００７１】
（第２の実施形態）
図２０〜図２２に示す第２の実施形態による小便器５は、小便器本体５０の周壁部５２及び便鉢５１の形状が上述した第１の実施形態と異なっている。すなわち、周壁部５２は、上面部５２Ａ、側面部５２Ｂ、５２Ｃ、前面部５２Ｄ、及び底面部５２Ｅを有している。
上面部５２Ａは平板状をなしている。上面部５２Ａは、上面視で前端の左右中央部が後方向に窪み湾曲している。側面部５２Ｂ、５２Ｃは、それぞれの離間寸法が下方に向かうに従い漸次、小さくなる前窄み形状となっている。左右の側面部５２Ｂ、５２Ｃは、下部において、前方に向けて突出しつつ左右方向Ｘ１の中央に向けて延びて互いに左右中央部（前面部５２Ｄに相当する部分）で連結した形状になっている。前面部５２Ｄは、下方の底面部５２Ｅに向かうに従い漸次、後方となるように緩やかに湾曲している。
【００７２】
便鉢５１は、正面部５１Ａ、側面部５１Ｂ、及び鉢底面５１Ｃを有している。
正面部５１Ａは、僅かに左右中央部が後方に凹むとともに鉢底面５１Ｃ近傍で前方を向くように湾曲している。正面部５１Ａは、左右方向Ｘ１で中央部から左右両側に向かうに従い漸次、前側となるように湾曲しつつ側面部５１Ｂに連続的に接続されている。
正面部５１Ａの左右方向Ｘ１の中間部の上部には、前後方向Ｘ２に貫通する吐水穴５１ｄが設けられ、この吐水穴５１ｄには洗浄水Ｗを便鉢５１に噴出するスプレッダー２が装着されている。スプレッダー２の構成は、第１の実施形態と同様の構成であるので、ここでは詳しい説明を省略する。
【００７３】
左右の側面部５１Ｂ、５１Ｂは、左右方向Ｘ１の中央部の下端で互いに連続し、鉢底面５１Ｃまで延在している。正面部５１Ａ及び左右の側面部５１Ｂによって連続して形成される鉢面は、水平断面視において、曲率半径が下方に向けて徐々に小さくなっている。
側面部５１Ｂは、図２１に示すように、側面視において、開口縁（第１開口縁５１ａ）が略上下方向Ｘ３を向く側壁部５１Ｂａと、開口縁（第２開口縁５１ｂ）が略上向きに拡がる碗状部５１Ｂｂと、を有している。側壁部５１Ｂａの第１開口縁５１ａと碗状部５１Ｂｂの第２開口縁５１ｂとの接続部分には、第１開口縁５１ａから前方に向けて湾曲して第２開口縁５１ｃに接続する湾曲縁５１ｃが形成されている。
【００７４】
碗状部５１Ｂｂの底は、鉢底面５１Ｃとなる。すなわち、鉢底面５１Ｃの前端（先端部５１ｅ）は碗状部５１Ｂｂの前端の下端に接続されている。鉢底面５１Ｃには、上方に広がる椀形状をなす排水口５１ｆが設けられている。排水口１１ｅには、目皿（図示省略）が配置され、鉢底面５１Ｃの下方に配置される排水トラップ３の上端が接続されている。鉢底面５１Ｃは、排水口１１ｆに排水が集まるように、排水口５１ｆに向かって緩やかに傾斜している。
【００７５】
本第２の実施形態のスプレッダー２は、図２１に示す左右方向Ｘ１から見た側面視で、側面部５１Ｂの開口縁５１ａ、５１ｂ、５１ｃにおける接線のうち鉢底面５１Ｃの先端部５１ｄ（図２１で符号ｔ１）を通る直線Ｔ上で、正面部５１Ａに交差する点（ｔ３）から下方にスプレッダー２の吐水口２Ａが位置するように配置されている。ここで、直線Ｔが側面部５１Ｂの開口縁５１ａ、５１ｂ、５１ｃと接する点を符号ｔ２とする。つまり、直線Ｔは、点ｔ１、ｔ２、ｔ３を通る直線となる。
【００７６】
第２の実施形態による小便器５では、図２１及び図２２に示すように、左右方向Ｘ１から見た側面視で、側面部５１Ｂの開口縁５１ａ、５１ｂ、５１ｃにおける接線のうち鉢底面５１Ｃの先端部５１ｄ（ｔ１）を通る直線Ｔが正面部５１Ａに交差する点ｔ３から下方にスプレッダー２の吐水口２Ａを配置することで、スプレッダー２の吐水口２Ａから噴出される洗浄水Ｗのうち、正面視で左右方向Ｘ１の外側に広がるようにカーブを描く洗浄水（外側洗浄水Ｗ２）が、便鉢５１の内面から外方への飛散を抑えた状態で、その外側洗浄水Ｗ２を便鉢５１の前方の鉢底面５１Ｃの先端部５１ｄに到達するように噴出させることが可能となる。そのため、洗浄段を便鉢５１に設けない構成とすることが可能となり、便鉢５１の内面の前方まで洗浄することができる。
【００７７】
このように、本実施形態では、洗浄段を省略することが可能となるので、便鉢５１の内面に凹凸が形成されず、清掃性を向上させることができる。また、本実施形態では、便鉢５１の内面に洗浄段が設けられていないので、正面から見て便鉢５１内が凹凸のない見映えのよい鉢面となり、意匠性を向上させることができる。
【００７８】
また、本実施形態では、便鉢５１において、水平断面で左右方向の中央から左右両側に向けて後方から前方に延びるように湾曲する湾曲面が形成されているので、外側洗浄水Ｗ２が湾曲面に沿って流れることで、鉢底面５１Ｃにおける正面視で左右中央の先端部分に洗浄水Ｗを集めて効率よく排水することができる。
【００７９】
以上、本発明による小便器の実施形態について説明したが、本発明は上記の実施形態に限定されるものではなく、その趣旨を逸脱しない範囲で適宜変更可能である。
【００８０】
例えば、本実施形態では、スプレッダー２の適用対象として、壁掛け式の小便器を対象としているが、床置き式の小便器に適用することも可能である。そして、小便器１の便鉢１１や周壁部１２における各部位の形状、大きさ、寸法、排水トラップ３の形状等の構成は、上述した実施形態に限定されることはなく、適宜、設定することが可能である。
【００８１】
また、上述した第１の実施形態では、スプレッダー２が便鉢１１の正面部１１Ａに設けられた構成としているが、正面部１１Ａに限定されることはなく、正面部１１Ａより上側で周壁部１２の上端面１２Ａの下面側に位置する部分（下向きの鉢面）にスプレッダー２を設けるようにしてもよい。
一方で、第２の実施形態におけるスプレッダー２の位置は、便鉢５１の３点ｔ１、ｔ２、ｔ３を通る直線Ｔが正面部５１Ａに交差する点ｔ３から下方にスプレッダー２の吐水口２Ａが配置される位置であればよく、直線Ｔも小便器の便鉢の形状に対応した直線が設定されるので、上述した第２の実施形態の位置に限定されることはない。
なお、スプレッダー２における左右方向Ｘ１の位置も中央であることが好ましいが、多少左右方向Ｘ１にずれた位置であってもかまわない。
【００８２】
その他、本発明の趣旨を逸脱しない範囲で、上記した実施形態における構成要素を周知の構成要素に置き換えることは適宜可能である。
【符号の説明】
【００８３】
１、５  小便器
２  スプレッダー
３  排水トラップ
４  目皿
１０、５０  小便器本体
１１、５１  便鉢
１１ｃ、５１ｅ  排水口
１１ｅ、５１ｄ  先端部
１１Ａ、５１Ａ  正面部
１１Ｂ、５１Ｂ  側面部
１１Ｃ、５１Ｃ  鉢底面
１２、５２  周壁部
１２Ａ、５２Ａ  上面部
１２Ｂ、１２Ｃ、５２Ｂ  側面部
１２Ｄ、５２Ｄ  前面部
１２Ｅ、５２Ｅ  底面部
１２Ｆ  底凹部
１２ｃ  前端傾斜部（直線傾斜部）
１３  開口部
２６  吐水部
２６Ａ  内側吐水路
２６Ｂ  外側吐水路
２６１ｂ  給水開口
２６２  内側ガイド
２６２ａ  内側吐水口
２６２ｂ  内側流入口
２６３  滴下防止ガイド
２６４  外側ガイド
２６４ａ  外側吐水口
Ｋ  壁面
Ｗ  洗浄水
Ｗ１  内側洗浄水
Ｗ２  外側洗浄水
Ｘ１  左右方向
Ｘ２  前後方向
Ｘ３  上下方向
【図１】
2019178574.tif 000003
【図２】
2019178574.tif 000004
【図３】
2019178574.tif 000005
【図４】
2019178574.tif 000006
【図５】
2019178574.tif 000007
【図６】
2019178574.tif 000008
【図７】
2019178574.tif 000009
【図８】
2019178574.tif 000010
【図９】
2019178574.tif 000011
【図１０】
2019178574.tif 000012
【図１１】
2019178574.tif 000013
【図１２】
2019178574.tif 000014
【図１３】
2019178574.tif 000015
【図１４】
2019178574.tif 000016
【図１５】
2019178574.tif 000017
【図１６】
2019178574.tif 000018
【図１７】
2019178574.tif 000019
【図１８】
2019178574.tif 000020
【図１９】
2019178574.tif 000021
【図２０】
2019178574.tif 000022
【図２１】
2019178574.tif 000023
【図２２】
2019178574.tif 000024